【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
非水性有機溶媒と、
リチウム塩と、
イオン性液体と、
ＡＭ１計算法によって求められた最低非占有分子軌道エネルギーが−０．５〜１．０ｅＶであり、前記ＡＭ１計算法によって求められた最高占有分子軌道エネルギーが−１１．０ｅＶよりも小さい添加剤と、
を含むことを特徴とする、リチウムイオン二次電池用電解液。
【請求項２】
前記添加剤は、リチウム金属を基準として、還元電位が０．７Ｖより大きく、酸化電位が５．０Ｖより大きい
ことを特徴とする、請求項１に記載のリチウムイオン二次電池用電解液。
【請求項３】
前記添加剤は、フッ素を含有するカーボネートおよびフッ素を含有するエーテルからなる群より選択された単独またはこれらの混合物である
ことを特徴とする、請求項１または２に記載のリチウムイオン二次電池用電解液。
【請求項４】
前記リチウムイオン二次電池用電解液は、ホウ素を含有するリチウム塩をさらに含むことを特徴とする、請求項１に記載のリチウムイオン二次電池用電解液。
【請求項５】
前記フッ素を含有するカーボネートは、下記化学式１８または化学式１９で表される化合物である
ことを特徴とする、請求項３に記載のリチウムイオン二次電池用電解液。
【化１】
2010034050.tif 000001
前記化学式１８において、Ｒ１、Ｒ２は、水素、フッ素および炭素数１〜５のフッ素化されたアルキル基からなる群より選択され、Ｒ１とＲ２は、同時に水素ではない。
【化２】
2010034050.tif 000002
前記化学式１９において、Ｒ１、Ｒ２は、炭素数１〜５のアルキル基または炭素数１〜５のフッ素化されたアルキル基から選択され、Ｒ１、Ｒ２のいずれか一つは、フッ素化されたアルキル基である。
【請求項６】
前記ホウ素を含有するリチウム塩は、リチウムビスオキサレートボレートまたはリチウムフルオロオキサレートボレートである
ことを特徴とする、請求項４に記載のリチウムイオン二次電池用電解液。
【請求項７】
前記フッ素を含有するエーテルは、下記化学式２０で表される化合物である
ことを特徴とする、請求項３に記載のリチウムイオン二次電池用電解液。
Ｃ（Ｒ）３−（Ｏ−Ｃ（Ｒ）２−Ｃ（Ｒ）２）ｎ−ＯＣ（Ｒ）３  ・・・（化学式２０）
前記化学式２０において、それぞれのＲは、互いに独立して水素またはフッ素であり、全てのＲが水素ではなく、ｎは、１〜３である。
【請求項８】
前記添加剤の含有量は、総電解液１００質量部に対して０．１〜２０質量部である
ことを特徴とする、請求項１〜７のいずれか一項に記載のリチウムイオン二次電池用電解液。
【請求項９】
前記フッ素を含有するカーボネートの含有量は、総電解液１００質量部に対して３〜１０質量部である
ことを特徴とする、請求項３に記載のリチウムイオン二次電池用電解液。
【請求項１０】
前記ホウ素を含有するリチウム塩の含有量は、総電解液１００質量部に対して０．１〜５質量部である
ことを特徴とする、請求項４に記載のリチウムイオン二次電池用電解液。
【請求項１１】
前記イオン性液体と前記添加剤との質量比は、６：０．５〜６：４である
ことを特徴とする、請求項１に記載のリチウムイオン二次電池用電解液。
【請求項１２】
前記イオン性液体は、アンモニウム、イミダゾリウム、オキサゾリウム、ピペリジニウム、ピラジニウム、ピラゾリウム、ピリダジニウム、ピリジニウム、ピリミジニウム、ピロリジニウム、ピロリニウム、チリアゾリウム、トリアゾリウム、およびグアニジニウムからなる群より選択された陽イオンと、
ハロゲン、硫酸塩、スルホン酸塩、アミド、イミド、ホウ素塩、リン酸塩、アンチモン酸塩、デカン酸塩およびコバルトテトラカルボニルからなる群より選択された陰イオンと、
の組み合わせである
ことを特徴とする、請求項１〜１１のいずれか一項に記載のリチウムイオン二次電池用電解液。
【請求項１３】
前記イオン性液体の含有量は、総電解液１００質量部に対して５〜７０質量部である
ことを特徴とする、請求項１〜１２のいずれか一項に記載のリチウムイオン二次電池用電解液。
【請求項１４】
前記イオン性液体の含有量は、総電解液１００質量部に対して５〜４０質量部である
ことを特徴とする、請求項１〜１２のいずれか一項に記載のリチウムイオン二次電池用電解液。
【請求項１５】
前記非水性有機溶媒は、カーボネート、エステル、エーテルおよびケトンからなる群より選択された単独またはこれらの混合物である
ことを特徴とする、請求項１〜１４のいずれか一項に記載のリチウムイオン二次電池用電解液。
【請求項１６】
前記カーボネートは、ジメチルカーボネート、ジエチルカーボネート、ジプロピルカーボネート、メチルプロピルカーボネート、エチルプロピルカーボネート、エチルメチルカーボネート、エチレンカーボネート、プロピレンカーボネート、ブチレンカーボネート、およびペンチレンカーボネートからなる群より選択された単独またはこれらの混合物である
ことを特徴とする、請求項１５に記載のリチウムイオン二次電池用電解液。
【請求項１７】
前記エステルは、ｎ−メチルアセテート、ｎ−エチルアセテート、ｎ−プロピルアセテート、ジメチルアセテート、メチルプロピオネート、エチルプロピオネート、γ−ブチロラクトン、デカノライド、バレロラクトン、メバロノラクトン、およびカプロラクトンからなる群より選択された単独またはこれらの混合物である
ことを特徴とする、請求項１５に記載のリチウムイオン二次電池用電解液。
【請求項１８】
前記エーテルは、ジブチルエーテル、テトラグライム、ジグライム、ジメトキシエタン、２−メチルテトラヒドロフラン、およびテトラヒドロフランからなる群より選択された単独またはこれらの混合物である
ことを特徴とする、請求項１５に記載のリチウムイオン二次電池用電解液。
【請求項１９】
前記ケトンは、シクロヘキサノンおよびポリメチルビニルケトンからなる群より選択された単独またはこれらの混合物である
ことを特徴とする、請求項１５に記載のリチウムイオン二次電池用電解液。
【請求項２０】
前記リチウム塩は、ＬｉＰＦ６、ＬｉＢＦ４、ＬｉＳｂＦ６、ＬｉＡｓＦ６、ＬｉＣｌＯ４、ＬｉＣＦ３ＳＯ３、ＬｉＣ４Ｆ９ＳＯ３、ＬｉＡｌＯ４、ＬｉＡｌＣｌ４、ＬｉＮ（ＣｐＦ２ｐ＋１ＳＯ２）（ＣｑＦ２ｑ＋１ＳＯ２）（ここで、ｐおよびｑは自然数である。）、ＬｉＣｌおよびＬｉＩからなる群より選択された単独またはこれらの混合物である
ことを特徴とする、請求項１〜１９のいずれか一項に記載のリチウムイオン二次電池用電解液。
【請求項２１】
リチウムを可逆的に挿入および脱離可能な正極活物質を含む正極と、
リチウムを可逆的に挿入および脱離可能な負極活物質を含む負極と、
請求項１〜２０のいずれか一項に記載のリチウムイオン二次電池用電解液と、
を含むことを特徴とする、リチウムイオン二次電池。
【手続補正２】
【補正対象書類名】明細書
【補正対象項目名】００１９
【補正方法】変更
【補正の内容】
【００１９】
前記フッ素を含有するエーテルは、下記化学式２０で表される化合物であってもよい。ここで、下記化学式２０において、それぞれのＲは、互いに独立して水素またはフッ素であり、全てのＲが水素ではなく、ｎは、１〜３である。
【手続補正３】
【補正対象書類名】明細書
【補正対象項目名】００８２
【補正方法】変更
【補正の内容】
【００８２】
上記フッ素を含有するエーテル系溶媒は、例えば、下記化学式２０で表されるものを用いることができる。ここで、下記化学式２０において、それぞれのＲは、互いに独立して水素またはフッ素であり、全てのＲが水素ではなく、ｎは、１〜３である。